(57)【特許請求の範囲】
【請求項１】
内視鏡の処置具挿通チャンネルに挿通されて先端部分が上記内視鏡の先端から外方に突出して使用される内視鏡処置具用チューブにおいて、
上記チューブが可撓性のある合成樹脂材で形成されていて、そのチューブの管壁内に、一対のステーワイヤがチューブの軸線を挟んで略１８０°対称の位置にだけ軸線と平行に埋設されると共に、高周波電流が流される導電ワイヤが、上記チューブの先端部分において上記一対のステーワイヤと略直角をなす向きにだけ外面に露出して設けられていることを特徴とする内視鏡処置具用チューブ。
【請求項２】
上記導電ワイヤが上記チューブの外面に露出した部分付近においては、上記チューブの管壁内に上記ステーワイヤが埋設されていない請求項１記載の内視鏡処置具用チューブ。
【発明の詳細な説明】
【０００１】
【産業上の利用分野】
この発明は、内視鏡の処置具挿通チャンネルに挿通されて先端部分が内視鏡の先端から外方に突出して使用される内視鏡処置具用チューブに関する。
【０００２】
【従来の技術】
内視鏡の各種処置具には可撓性のある合成樹脂チューブが使用されていて、内視鏡の処置具挿通チャンネルに挿通されて用いられる。そのようなチューブは、従来は、例えばフッ素樹脂チューブなどを単に切断して使用されていた。
【０００３】
【発明が解決しようとする課題】
内視鏡の先端部の処置具出口の部分には、多くの場合、処置具の突出方向を任意に変えるための処置具起上台が配置されている。側方視型の内視鏡の場合は処置具起上台を設けることが必須であり、斜視型や前方視型の内視鏡の場合でも、処置具起上台が配置されていることが少なくない。
【０００４】
そのような処置具起上台部分を処置具のチューブが通過して外方に突出される際、チューブは、それまでに先端部分についている曲がり癖が処置具起上台部分のカーブに沿う状態になりながら突出される。
【０００５】
したがって、チューブの先端部分についた曲がり癖はチューブの突出方向に対して決定的な影響を与えるが、従来の内視鏡処置具用チューブにおいては、チューブに対してどの方向に曲がり癖がつくのかがチューブの構成からは定まらない。
【０００６】
そのため、チューブの先端部分に位置によって相違する方向に曲がり癖がついて、内視鏡の先端から突出させたときに、チューブの先端が思いもかけない方向に向いてしまい、目標部位にチューブの先を誘導することができないことが少なくなかった。
【０００７】
また、高周波電流が流される導電ワイヤがチューブの先端部分の外面に露出して設けられている高周波処置具の場合には、内視鏡の先端から突出されるチューブに対して導電ワイヤがなかなか正しい向きにならず、そのまま使用すると誤切開による出血事故等を起こす恐れがあった。
【０００８】
図５は、そのような高周波処置具において、導電ワイヤ６がチューブ１に対して正しい向きになっている状態を示し、図６は、導電ワイヤ６がチューブ１に対して正しくない向きになっている状態を例示している。
【０００９】
そこで本発明は、予め予定した一定の方向に曲がり癖がついて、内視鏡の先端から常に所定の方向に向かって突出し、目標部位に確実かつ容易に誘導することができる内視鏡処置具用チューブを提供することを目的とする。
【００１０】
【課題を解決するための手段】
上記の目的を達成するため、本発明の内視鏡処置具用チューブは、内視鏡の処置具挿通チャンネルに挿通されて先端部分が上記内視鏡の先端から外方に突出して使用される内視鏡処置具用チューブにおいて、上記チューブが可撓性のある合成樹脂材で形成されていて、そのチューブの管壁内に、一対のステーワイヤがチューブの軸線を挟んで略１８０°対称の位置に軸線と平行に埋設されていることを特徴とする。
【００１１】
また、高周波電流が流される導電ワイヤが、上記チューブの先端部分において上記一対のステーワイヤと略直角をなす向きに外面に露出して設けられていてもよい。
【００１２】
【実施例】
図面を参照して実施例を説明する。
図１は、本発明の参考例を示しており、内視鏡用造影チューブの例である。
【００１３】
図中１は、細長いフッ素樹脂製の可撓性のあるチューブであり、その管壁内には、図２の断面図にも示されるように、一対のステーワイヤ２が、チューブ１の軸線を挟んで略１８０°対称の位置に軸線と平行に埋設されている。
【００１４】
ステーワイヤ２としては、弾性のある金属線又は非金属線を用いることができ、単線又は撚り線のいずれでも用いることができる。ここでは、テスンレス鋼線の単線が用いられている。非金属線としては、炭素繊維線等を用いることができる。
【００１５】
そのようにステーワイヤ２が埋設されたチューブ１は、ステーワイヤ２が埋設されている方向にはほとんど伸び縮みできないので、ステーワイヤ２が埋設されている方向と直角の方向にだけ曲がり癖がつく。
【００１６】
図１に示されるように、ステーワイヤ２はチューブ１の基端からほぼ全長にわたってチューブ１内に埋設されている。ただし例えば十二指腸内からファーター氏乳頭等へ挿入し易いように、チューブ１の先端から１０ｍｍ程度の範囲は、ステーワイヤ２を埋設せずに柔軟性を確保してある。
【００１７】
チューブ１の基端側には、注射器等を接続可能な口金３が接続されている。４は、チューブ１の基端部分を口金３に固定するための固定環である。
チューブ１の内径は例えば約１．２ｍｍ程度、外径は約１．７ｍｍ程度、長さは約２ｍ程度であり、ステーワイヤ２を埋設したことにより、肉厚ｔを内径ｄに対して例えばｔ＝０．２ｄ程度と薄肉に形成することができる。
【００１８】
このように構成された内視鏡用造影チューブは、図示されていない内視鏡の処置具挿通チャンネル内に挿通されて、先端部分が内視鏡の先端から外方に突出して使用される。
【００１９】
なお、造影チューブを内視鏡の処置具挿通チャンネルに挿入する際には、チューブ１の腰折れ防止のために、破線で図示されているスタイレット（芯金）５をチューブ１内に基端側から入れておく。
【００２０】
チューブ１は、先端部分についている曲がり癖が内視鏡先端部に内蔵された処置具起上台部分のカーブに沿う状態になりながら突出されるが、前述したように、チューブ１にはステーワイヤ２が埋設されている方向と直角の方向にしか曲がり癖がつかないので、チューブ１は処置具起上台部分のカーブに沿って左右にふらつくことなく観察画面の中央に向かって突出される。
【００２１】
図３は、本発明の実施例を示しており、本発明を内視鏡用高周波切開具に適用した例である。
チューブ１内には、高周波電流を通すための導電ワイヤ６が全長にわたって挿通されていて、先端では導電ワイヤ６の先端が先端チップ７に固定されている。そして導電ワイヤ６は、チューブ１の先端近傍に３０ｍｍ程度の間隔で穿設された一対の孔８の間で、チューブ１の外面に露出している。
【００２２】
そして、図４に示されるように、参考例と同様の一対のステーワイヤ２が、チューブ１の基端部から先端側の導電ワイヤ露出部の近くまで、チューブ１の軸線を挟んで略１８０°対称の位置に軸線と平行に埋設されている。ただし、導電ワイヤ露出部付近は、ステーワイヤ２を埋設せずに柔軟性を確保してある。
【００２３】
この実施例の場合には、導電ワイヤ６の露出方向とステーワイヤ２の配置位置が直角になっている。したがって、導電ワイヤ６の露出部が１８０°反対向きにならないようにさえしておけば、図５に示されるように、導電ワイヤ６の露出部がチューブ１に付く曲がりの内周の中心線上に常に正確に位置することになる。
【００２４】
したがって、この高周波切開具のチューブ１を内視鏡の処置具挿通チャンネルに挿入すれば、参考例と同様にチューブ１の先端が左右にふらつかずに内視鏡の先端から突出されると共に、その曲がりの内周の中心線上に導電ワイヤ６の露出部が正しく位置することになる。
【００２５】
なお、図３に示される９は、チューブ１の基端部に連結された電気絶縁材からなる支持部、１０は、導電ワイヤ６の基端に取り付けられた電気コネクタであり、高周波電源に接続した電気コネクタ１０を支持部９に対して進退操作すれば、チューブ１内で導電ワイヤ６が押し引きされて、導電ワイヤ６が先端露出部で膨出及び縮小される。
【００２６】
【発明の効果】
本発明によれば、可撓性チューブの管壁内にチューブの軸線を挟んで略１８０°対称の位置に軸線と平行に埋設した一対のステーワイヤによって、チューブに付く曲がり癖はステーワイヤと直角の一定方向に限られるので、内視鏡の先端から常に所定の方向に突出させて、目標部位に確実かつ容易に誘導することができる。
【００２７】
そして、高周波電流が流される導電ワイヤを一対のステーワイヤと略直角をなす向きに露出して設ければ、導電ワイヤが常にチューブの曲がりの内周の中心線上に位置するので、導電ワイヤを正しい向きに誘導して高周波切開を安全に行うことができる。
【００２８】
また、チューブの管壁にステーワイヤを埋設することにより、チューブの腰の強さが強化されるので、チューブが内視鏡の処置具挿通チャンネルに挿入される際に座屈しにくくなる等の効果も得られる。
【図面の簡単な説明】
【図１】本発明の参考例の平面断面図である。
【図２】本発明の参考例のII−II拡大断面図である。
【図３】本発明の実施例の側面断面図である。
【図４】本発明の実施例の平面部分断面図である。
【図５】内視鏡用高周波切開具の先端部分の正しい状態を示す斜視図である。
【図６】内視鏡用高周波切開具の先端部分の正しくない状態を例示す斜視図である。
【符号の説明】
１  チューブ
２  ステーワイヤ
６  導電ワイヤ
【図１】
0003605162.tif 000002
【図２】
0003605162.tif 000003
【図３】
0003605162.tif 000004
【図４】
0003605162.tif 000005
【図５】
0003605162.tif 000006
【図６】
0003605162.tif 000007